(57)【特許請求の範囲】
【請求項１】
光学附属部材が着脱可能に取り付けられる鏡筒部材を有するレンズ鏡筒において、
前記鏡筒部材は、前記光学附属部材が挿入される取り付け開口部と、鏡筒内部に設けられた穴部とを備え、
前記光学附属部材は、前記鏡筒部材の取り付け開口部よりも大きく形成された鍔部と、外部から操作可能かつ、前記鏡筒部材の取り付け開口部に挿入された場合に前記鏡筒部材の前記穴部に嵌合して前記光学附属部材を固定する爪部とを備え、
前記鏡筒部材の前記取り付け開口部の周囲に弾性部材が設けられており、
該弾性部材は、前記鏡筒部材の前記取り付け開口部の周囲に固定された固定部と、該固定部における前記鏡筒部材への取り付け面とは反対側の面に前記取り付け開口部を囲むように形成された襞部とを有し、
該襞部は、前記光学附属部材が前記鏡筒部材に取り付けられる前の状態において前記取り付け開口部側から外側に向かって前記固定部に対して角度を有して開くように広がり、前記鏡筒部材に取り付けられる前記光学附属部材の前記鍔部によって圧縮変形されながら該鍔部に密着することを特徴とするレンズ鏡筒。
【請求項２】
前記鏡筒部材は、前記光学附属部材を保持する枠部材を有しており、
前記枠部材は、前記鏡筒部材の外径より前記固定部の厚み分突出しており、前記突出した部分に溝部が形成されており、
前記弾性部材の側面に形成された凸形状の嵌合部が前記溝部に嵌め込まれていることを特徴とする請求項１に記載のレンズ鏡筒。
【請求項３】
前記鏡筒部材における前記取り付け開口部の周囲の部材は、前記弾性部材とは異なる部材で形成され、かつ、前記弾性部材と一体成形されていることを特徴とする請求項２に記載のレンズ鏡筒。
【請求項４】
請求項２に記載のレンズ鏡筒に取り付けられる前記光学附属部材であって、
前記爪部を像面方向に突出させるように付勢するバネと、
押し込まれることによって前記爪部を前記バネが付勢する方向とは反対の方向に移動させるボタンとを有することを特徴とする光学附属部材。
【発明の詳細な説明】
【０００１】
【発明の属する技術分野】
本発明は、撮影光学装置のレンズ鏡筒に関し、詳しくは、鏡筒部材と、これに着脱可能に取り付けられるフィルター等の光学附属部品とにより防滴構造が形成されるレンズ鏡筒に関する。
【０００２】
【従来の技術】
従来の撮影光学装置のレンズ鏡筒においては、後部差込フィルター等の光学用附属品を本体側となる鏡筒部材に取り付ける構成として、レンズマウント近傍の鏡筒外径に取り付け開口部を設け、この取り付け開口部の周囲にスポンジやゴム等の弾性部材を張り付けることにより、鏡筒部材の取り付け開口部と光学用附属品の鍔部とを上述の弾性部材を介して接続することとしていた。そして、このような弾性部材を用いて鏡筒部材の取り付け開口部と光学用附属品の鍔部とが直接当接するのを避ける構成とすることで、光学用附属品ががたついたり、鏡筒外径と擦れてキズが発生すること等を防止していた。
【０００３】
また、鏡筒部材の取り付け開口部と光学用附属品の鍔部との接続部には爪等の係合部が設けられ、この係合部で両部材をロックすることにより光学用附属品を容易に脱落しない構成としていた。
【０００４】
【発明が解決しようとする課題】
ところで、上述のような構造とされた従来のレンズ鏡筒では、光学用附属品における鍔部の内径と、鏡筒部材の取り付け開口部に貼り付ける弾性部材の外径とを同じ径に設定した場合には、光学用附属品の取り付け時に、鏡筒部材に対するずれや浮き等が生じたり、光学用附属品の鍔部の内径と弾性部材とが均一に当接せずに隙間が発生しやすかった。そのため、雨中の撮影等でレンズ鏡筒に水がレンズにかかった場合には、その隙間から水が浸入してレンズが濡れてしまうといった問題が生じた。
【０００５】
これに対して、水が浸入しない構成とするために、例えば弾性部材につき、その肉厚を厚くしてかつリング状の単一部材とし、光学用附属品を鏡筒部材に取り付ける際には、光学用附属品の鍔部で弾性部材が圧縮されるような構成とすることが考えられる。しかしながら、このような構成とした場合には、上述のように光学用附属品の取り付けを爪などでロックし容易に脱落しない構成とした場合に、取り付け時にスポンジやゴムを圧縮するために取り付け時の操作感が悪くなる問題が生じた。
【０００６】
本発明は、上述の問題点を解決するために提案されたものであり、鏡筒部材に光学用附属品を取り付けた状態における隙間の発生を防止し、かつ取り付け時の操作感が良好な防滴構造を備えたレンズ鏡筒を提供することを目的とする。
【０００７】
【課題を解決するための手段】
本発明は、上述の課題を解決するため、光学附属部材が着脱可能に取り付けられる鏡筒部材を有するレンズ鏡筒において、鏡筒部材は、光学附属部材が挿入される取り付け開口部と、鏡筒内部に設けられた穴部とを備え、光学附属部材は、鏡筒部材の取り付け開口部よりも大きく形成された鍔部と、外部から操作可能かつ、鏡筒部材の取り付け開口部に挿入された場合に鏡筒部材の前記穴部に嵌合して光学附属部材を固定する爪部とを備えている。鏡筒部材の取り付け開口部の周囲には、弾性部材が設けられている。そして、該弾性部材は、鏡筒部材の取り付け開口部の周囲に固定された固定部と、該固定部における鏡筒部材への取り付け面とは反対側の面に上記取り付け開口部を囲むように形成された襞部とを有し、該襞部は、光学附属部材が鏡筒部材に取り付けられる前の状態において取り付け開口部側から外側に向かって固定部に対して角度を有して開くように広がり、鏡筒部材に取り付けられる光学附属部材の鍔部によって圧縮変形されながら該鍔部に密着することを特徴とする。
【０００８】
レンズ鏡筒においては、光学附属部材が鏡筒部材の取り付け開口部に挿入されると、弾性部材の襞部が圧縮変形されながら該鍔部に密着することによって、取り付け開口部が密閉される。
【０００９】
鏡筒部材における取り付け開口部の周囲の部材を弾性部材とは異なる部材で形成し、かつ、弾性部材と一体成形することにより、光学附属部材が挿入された場合の取り付け開口部の密閉性がさらに向上する。
【００１１】
弾性部材の前記突起部については、固定部に対して角度を有して外側に広がった襞部とすることが好ましい。
【００１２】
さらには、弾性部材の襞部については、固定部に対して３５度から５５度の範囲の角度とすることが好ましい。
【００１３】
【発明の実施の形態】
本発明の実施の形態を、図面を参照しながら詳細に説明する。ここで、図１は第１の実施の形態におけるレンズ鏡筒１の部分断面図、図２は第１の実施の形態におけるシール部材の外観を説明する図、図３は第２の実施の形態におけるレンズ鏡筒２の部分断面図、図４は第１の実施の形態におけるレンズ鏡筒１の全体断面図をそれぞれ示す。
【００１４】
まず、図４を参照してレンズ鏡筒の全体構成について説明する。図４に示すように、レンズ鏡筒１は、撮影光学系であり、物体側（図４の左側）から像面側（図４の右側）にかけて、第１群、第２群、第３群と構成されている。レンズ鏡筒１の像面側には、カメラと結合するためのマウント部３を有し、マウント部３にはカメラと通信するための接点端子４が設けられている。レンズ鏡筒１の内部には、この接点端子４を介してカメラと通信するための制御回路を構成した基板５が内蔵されており、当該制御回路は、カメラからの信号を処理して各アクチュエータを駆動制御する。
【００１５】
第１群は、群構成として正屈折を有するレンズ群である。
【００１６】
第２群は、フォーカシング群であり、カメラからの信号によりアクチュエータを駆動し、レンズ群を光軸方向に移動させ焦点を調整する。
【００１７】
第３群は、複数枚のレンズで構成された防振群である。レンズ鏡筒１では、内部に設けられた直交した２方向を検出する２つの角速度センサーの信号を回路によって処理し、レンズの移動量・移動方向に応じて、第３群の傍に配置した直交した２つのアクチュエータにより第３群内部の複数枚のレンズを光軸に直交する方向に移動させる。
【００１８】
第２群と第３群との間には、光量を調節する絞りユニット６が配置されている。この絞りユニット６は、カメラからの信号を回路によって処理し、アクチュエータを駆動させ、光束を遮蔽する。
【００１９】
（第１の実施の形態）
次に、本発明の第１の実施の形態のレンズ鏡筒１の要部構成について、図１及び図２を参照して説明する。図１において、１２は光学附属部材としてレンズ鏡筒１の後部側（像面側）に着脱可能に差し込まれる後部差込フィルターである。この後部差込フィルター１２は、光学フィルター１２ａと、光学フィルター１２ａを保持するレンズ枠部１２ｂと、鍔部１２ｃと、後部差込フィルター１２を固定するロック爪１２ｄと、ロック爪１２ｄを操作するロック解除ボタン１２ｅと、ロック爪１２ｄを突出させる方向（像面方向）に付勢するバネ１２ｆとで構成されている。
【００２０】
レンズ鏡筒１のマウント部３の近傍には、後部差込フィルター１２を保持するフィルター枠１３が取り付けられている。このフィルター枠１３は、抜け止め爪１３ａとネジ部１３ｂが形成されており、それぞれ後部鏡筒１４の内径に嵌合し、取り付けられている。また、フィルター枠１３における図１の上側には、後部差込フィルター１２を挿入するための取り付け開口部が形成される。さらに、フィルター枠１３の物体側（前端側）及び像面側（後端側）には、有害光線を遮光する前端側遮光壁１３ｃ及び後端側遮光壁１３ｄが設けられている。
【００２１】
フィルター枠１３の後端側遮光壁１３ｄの上側には後部差込フィルター１２のロック爪１２ｄが入り込むロック穴１３ｅが形成されており、後部差込フィルター１２のロック爪１２ｄが後部鏡筒１４内部のこのロック穴１３ｅに入り込んで係止することによって、後部差込フィルター１２が後部鏡筒１４から抜けないようになっている。
【００２２】
後部差込フィルター１２の鍔部１２ｃは、レンズ枠部１２ｂが鏡筒内に落ち込まなくするため、フィルター枠１３により形成される上述の取り付け開口部よりもその外形が大きくなっている。
【００２３】
後部差込フィルター１２においては、鍔部１２ｃの略中央に形成された穴部に対してロック解除ボタン１２ｅが光軸方向に往復可能に取り付けられており、ロック解除ボタン１２ｅが押し込まれると、ロック解除ボタン１２ｅの斜面がロック爪１２ｄの斜面を押し、バネ１２ｆを圧縮し、ロック爪１２ｄを光軸の物体方向へと移動させる。これにより、ロック穴１３ｅに対するロック爪１２ｄの係止が解除されるので、鍔部１２ｃを掴んで図１の上方に引き上げることにより、後部差込フィルター１２を後部鏡筒１４から抜くことが可能となる。
【００２４】
後部差込フィルター１２を後部鏡筒１４に入れる場合には、鍔部１２ｃを掴んで図１の向きで後部差込フィルター１２を後部鏡筒１４に差し込むことにより、上述のようにロック爪１２ｄがロック穴１３ｅに入り込んで係止することによって、後部差込フィルター１２が後部鏡筒１４に保持される。以上の操作により、後部差込フィルター１２のロック・アンロックが行われる。
【００２５】
後部差込フィルター１２のロック状態においては、ロック爪１２ｄは、突出させる方向（図１の左右方向）に付勢するバネ１２ｆによってレンズマウント方向に押し付けられることにより、フィルター枠１３の後端側遮光壁１３ｄに圧接している。そして、その反力によって、後部差込フィルター１２は、フィルター枠１３の前端側遮光壁１３ｃ側へ当接し、光軸方向のガタが無くフィルター枠１３に保持される。
【００２６】
フィルター枠１３は、後部鏡筒１４の外径より、フィルター枠１３の取り付け開口部周囲に設けられたシール部材１５の固定部１５ａの厚み分突出しており、後部差込フィルター１２を挿入する時のガイドの役目を果たしている。
【００２７】
弾性部材であるシール部材１５は、図２に示すように、固定部１５ａ、襞部１５ｂ、フィルター枠１３と嵌合する嵌合部１５ｃを備えて構成されており、平面矩形リング状かつ平板状の外形となっている。ここで、シール部材１５の材質としては、シリコン、シリコンゴム、ＣＲゴム、ＮＢＲゴム、スポンジなどである。また、シール部材１５は、その硬度が２０〜６０度の範囲で成形されている。
【００２８】
シール部材１５の固定部１５ａは、上述の取り付け開口部の周囲における後部鏡筒１４の平面形状に倣うような形となっており、且つ、固定部１５ａの裏側に両面テープが貼られ、両面テープによって後部鏡筒１４に貼り付けられている。シール部材１５の固定方法は、両面テープの代わりに接着剤であってもよい。
【００２９】
また、シール部材１５は、内周側に嵌合部１５ｃが形成されており、この嵌合部１５ｃがフィルター枠１３に設けられた溝部１３ｆに嵌め込まれるようになっている。
【００３０】
そして、シール部材１５は、固定部１５ａの反対側の面上に全周に亘って突出する平面略矩形リング状の襞部１５ｂが形成されている。この襞部１５ｂは、後部差込フィルター１２の取り付け時に鍔部１２ｃに密着するように、固定部１５ａに対して所定の角度を有している。襞部１５ｂは、後部差込フィルター１２を取り付けていない状態では、断面形状で見た場合、固定部１５ａに対して３５度から５５度の角度で外側に開くように広がっている。
【００３１】
後部差込フィルター１２を使用する時には、後部差込フィルター１２をフィルター枠１３に挿入し、上から押えつけ、シール部材１５を圧縮変形させる。このときに、シール部材１５の襞部１５ｂは、後部差込フィルター１２の鍔部１２ｃの内径側に当接し変形する。
【００３２】
そして、後部差込フィルター１２のロック爪１２ｄがフィルター枠１３のロック穴１３ｅに挿入されると、後部差込フィルター１２が固定される。このときのシール部材１５の襞部１５ｂは、後部差込フィルター１２の鍔部１２ｃの内径部とシール部材１５の固定部１５ａに挟まれ両者の間を密着する。
【００３３】
この第１の実施の形態のレンズ鏡筒１によれば、後部差込フィルター１２と後部鏡筒１４との間に隙間が無い状態となり、雨等で濡れた場合であっても、後部差込フィルター１２と後部鏡筒１４との間を水が通り内部に浸入するといった事故が無くなる。
【００３４】
なお、この実施の形態では、フィルター枠１３の外周側に溝部１３ｆを設け、シール部材１５の内周側の嵌合部１５ｃがこの溝部１３ｆにはまり込む構成としているが、フィルター枠１３とシール部材１５とが別材質で一体成形する構成としても同様の効果を得ることができる。この場合には、両面テープや接着剤による固定が不要となり、シール部材の剥がれなどがなく、さらに良好な防滴構造とすることができる。
【００３５】
（第２の実施の形態〈参考技術例〉）
次に、図３を参照して本発明の参考技術例としての第２の実施の形態について説明する。
【００３６】
図３に示す第２の実施の形態としてのレンズ鏡筒２は、撮影光学系であり、物体側（図３の左側）から、第１群、第２群、第３群と構成され、レンズ鏡筒後部にはカメラと結合するためのマウント部３を有し、マウント部３にはカメラと通信するための接点端子４が設けられている。なお、これら各部については、図１で説明した第１の実施の形態のレンズ鏡筒１と同様であるので、以下その説明を省略する。
【００３７】
第２の実施の形態のレンズ鏡筒２では、図３に示すように、シール部材を後部差込フィルター側に固定して設ける構成となっている。
【００３８】
すなわち、レンズ鏡筒２の後部差込フィルター２２は、光学フィルター２２ａと、光学フィルター２２ａを保持するレンズ枠部２２ｂと、レンズ枠部が鏡筒内に落ち込まなくするための鍔部２２ｃと、後部差込フィルター２２を固定するロック爪２２ｄと、ロック爪２２ｄを操作するロック解除ボタン２２ｅと、ロック爪２２ｄを突出させる方向（像面方向）に付勢するバネ２２ｆと、弾性部材であるシール部材２５とを備えて構成される。シール部材２５は、両面テープによって、鍔部２２ｃの内径に貼り付けられている。
【００３９】
レンズ鏡筒２のマウント部３の近傍には、後部差込フィルター２２を保持するフィルター枠２３が取り付けられている。このフィルター枠２３は、抜け止め爪２３ａとネジ部２３ｂが形成されており、それぞれ後部鏡筒２４の内径に嵌合し、取り付けられている。また、フィルター枠２３における図３の上側には、後部差込フィルター２２を挿入するための取り付け開口部が形成される。さらに、フィルター枠２３の物体側（前端側）及び像面側（後端側）には、有害光線を遮光する前端側遮光壁２３ｃ及び後端側遮光壁２３ｄが設けられている。
【００４０】
フィルター枠２３の後端側遮光壁２３ｄの上側には後部差込フィルター２２のロック爪２２ｄが入り込むロック穴２３ｅが形成されており、後部差込フィルター２２のロック爪２２ｄが後部鏡筒２４内部のこのロック穴２３ｅに入り込んで係止することによって、後部差込フィルター２２が抜けないようになっている。
【００４１】
後部差込フィルター２２の鍔部２２ｃは、レンズ枠部２２ｂが鏡筒内に落ち込まなくするため、フィルター枠２３により形成される上述の取り付け開口部よりもその外形が大きくなっている。
【００４２】
後部差込フィルター２２においては、鍔部２２ｃの略中央に形成された穴部に対してロック解除ボタン２２ｅが光軸方向に往復可能に取り付けられており、ロック解除ボタン２２ｅが押し込まれると、ロック解除ボタン２２ｅの斜面がロック爪２２ｄの斜面を押し、バネ２２ｆを圧縮し、ロック爪２２ｄを光軸の物体方向へと移動させる。これにより、ロック穴２３ｅに対するロック爪２２ｄの係止が解除されるので、鍔部２２ｃを掴んで図３の上方に引き上げることにより、後部差込フィルター２２を後部鏡筒２４から抜くことが可能となる。
【００４３】
後部差込フィルター２２を後部鏡筒２４に入れる場合には、鍔部２２ｃを掴んで図３の向きで後部差込フィルター２２を後部鏡筒２４に差し込むことにより、上述のようにロック爪２２ｄがロック穴２３ｅに入り込んで係止することによって、後部差込フィルター２２が後部鏡筒２４に保持される。以上の操作により、後部差込フィルター２２のロック・アンロックが行われる。
【００４４】
後部差込フィルター２２のロック状態においては、ロック爪２２ｄは、突出させる方向（図３の左右方向）に付勢するバネ２２ｆによってレンズマウント方向に押し付けられることにより、フィルター枠２３の後端側遮光壁２３ｄに圧接している。そして、その反力によって、後部差込フィルター２２は、フィルター枠２３の前端側遮光壁２３ｃ側へ当接し、光軸方向のガタが無くフィルター枠２３に保持される。
【００４５】
シール部材２５は、固定部２５ａ、襞部２５ｂ、後部差込フィルター２２の鍔部２２ｃと嵌合する嵌合部２５ｃとを備えて構成されており、平面矩形リング状かつ平板状の外形となっている。シール部材２５の材質は、シリコン、シリコンゴム、ＣＲゴム、ＮＢＲゴム、スポンジなどである。また、シール部材２５は、その硬度が２０〜６０度の範囲で成形されている。
【００４６】
シール部材２５の固定部２５ａは、後部差込フィルター２２の鍔部２２ｃの内径形状に倣うような形になっており、且つ、固定部２５ａの裏側に両面テープが貼られ、両面テープによって鍔部２２ｃに貼り付けられている。シール部材２５の固定方法は、両面テープの代わりに接着剤であってもよい。
【００４７】
また、シール部材２５は、内周側に嵌合部２５ｃが形成されており、この嵌合部２５ｃが後部差込フィルター２２の鍔部２２ｃに設けられた溝部に嵌め込まれるようになっている。
【００４８】
そして、シール部材２５は、固定部２５ａの反対側の面上に全周に亘って突出する突起部としての平面略矩形リング状の襞部２５ｂが形成されている。この襞部２５ｂは、後部差込フィルター２２の取り付け時に後部鏡筒２４の外径部に密着するように、固定部２５ａと角度を有している。襞部２５ｂは、後部鏡筒２４に取り付けていない状態では、断面形状で見た場合、固定部２５ａに対して３５度から５５度の角度で外側に開いている。
【００４９】
後部差込フィルター２２を使用する時には、後部差込フィルター２２をフィルター枠２３に挿入し、上から押えつけ、シール部材２５を圧縮変形させる。このときに、シール部材２５の襞部２５ｂは、後部鏡筒２４の外径部に当接し変形する。
【００５０】
そして、後部差込フィルター２２のロック爪２２ｄがフィルター枠２３のロック穴２３ｅに挿入されると、後部差込フィルター２２が固定される。このときのシール部材２５の襞部２５ｂは、後部鏡筒２４の外径部とシール部材２５の固定部２５ａに挟まれ両者の間を密着する。
【００５１】
この第２の実施の形態のレンズ鏡筒２によれば、後部差込フィルター２２と後部鏡筒２４との間に隙間が無い状態となり、雨等で濡れた場合であっても、後部差込フィルター２２と後部鏡筒２４との間を水が通り内部に浸入するといった事故が無くなる。
【００５２】
なお、この実施の形態では、後部差込フィルター２２に対して別材質のシール部材２５を一体成形した構成としてもよく、このような構成とすることで、両面テープや接着剤による固定が不要となり、シール部材２５の剥がれなどがなく、さらに良好な防滴構造とすることができる。
【００５３】
【発明の効果】
以上説明したように、本発明のレンズ鏡筒によれば、光学附属部材が鏡筒部材の取り付け開口部に挿入されると、その前の状態において取り付け開口部側から外側に向かって固定部に対して角度を有して開くように広がっていた弾性部材の襞部が圧縮変形されながら鍔部に密着することにより取り付け開口部が密閉されるので、取り付け開口部の周囲での光学附属部材と鏡筒部材との間の隙間の発生を防止しながら取り付け時の操作感を良好とすることができる。
【図面の簡単な説明】
【図１】本発明を適用したレンズ鏡筒の第１の実施の形態における部分断面図である。
【図２】第１の実施の形態におけるシール部材の外観構成を説明するための図である。
【図３】本発明を適用したレンズ鏡筒の第２の実施の形態における部分断面図である。
【図４】第１の実施の形態におけるレンズ鏡筒の全体断面図である。
【符号の説明】
１，２・・・ レンズ鏡筒
３・・・ マウント部
１２，２２・・・ 後部差込フィルター
１２ａ，２２ａ・・・ 光学フィルター
１２ｂ，２２ｂ・・・ レンズ枠部
１２ｃ，２２ｃ・・・ 鍔部
１２ｄ，２２ｄ・・・ ロック爪
１２ｅ，２２ｅ・・・ ロック解除ボタン
１２ｆ，２２ｆ・・・ バネ
１３，２３・・・ フィルター枠
１３ｃ，２３ｃ・・・ 前端側遮光壁
１３ｄ，２３ｄ・・・ 後端側遮光壁
１３ｅ，２３ｅ・・・ ロック穴
１３ｆ・・・ 溝部
１４，２４・・・ 後部鏡筒
１５，２５・・・ シール部材
１５ａ，２５ａ・・・ 固定部
１５ｂ，２５ｂ・・・ 襞部
１５ｃ，２５ｃ・・・ 嵌合部
【図１】
0004392903.tif 000002
【図２】
0004392903.tif 000003
【図３】
0004392903.tif 000004
【図４】
0004392903.tif 000005